(57)【特許請求の範囲】
【請求項１】
建物開口部内に設けられ、上下枠及び左右の縦枠を方形状に枠組みした枠体内に障子を納めてなるサッシ窓において、
前記上枠は、該上枠の室外端部より室外側に突出する突出部を有する補助上枠を介して建物開口部の室内側寄りに固定され、前記下枠は、該下枠の室外端部より室外側に突出する突出部を有する補助下枠を介して建物開口部の室内側寄りに固定され、前記補助下枠は前記下枠の下面の略全面と対向する対向面部を有し、該対向面部は室内外方向中間部が最も低く、該中間部より室外側及び室内側に向かってそれぞれ上り傾斜状の傾斜面が形成され、前記縦枠は、前記上枠及び下枠と連結されて建物開口部の室内側寄りに配置され、前記縦枠の外周面が建物開口部の内周面に直接対峙すると共に、補助枠が設けられることなく外周面の室外端部において前記建物開口部の内周面との間に防水シールが設けられることを特徴とするサッシ窓。
【請求項２】
前記補助下枠は長手方向端面位置が前記縦枠の外周面と略同位置あるいは前記外周面よりも外側位置であることを特徴とする請求項１記載のサッシ窓。
【請求項３】
前記補助下枠は断面中空状に形成されると共に、室外面に外部と連通する排水口が形成されることを特徴とする請求項１または２記載のサッシ窓。
【請求項４】
前記補助上枠及び補助下枠の両端面はキャップ材により閉塞され、該キャップ材は前記縦枠の外周面と建物開口部の内周面との間に設けられる防水シールを受けるシール受部を有することを特徴とする請求項１〜３のいずれか１項に記載のサッシ窓。
【発明の詳細な説明】
【技術分野】
【０００１】
本発明は、建物開口部内に設けられるサッシ窓に関し、特に枠体が補助枠を介して建物開口部に固定されることで室内側寄りに配置されるサッシ窓に関する。
【背景技術】
【０００２】
建物開口部内に設けられるサッシ窓は、上下枠と左右の縦枠を方形状に枠組みしてなる枠体内に障子を納めて構成される。枠体は建物開口部に対して固定される。ここで、枠体を建物開口部の室内側寄りに配置することで、サッシ窓に奥行き感や重厚感を持たせることができ、外観における意匠性を向上させることができる。このために、建物開口部に補助枠を設け、補助枠の室内側寄りに枠体を固定することで、枠体が補助枠を介して建物開口部の室内側寄りに固定されるようにしたサッシ窓が知られている。このようなサッシ窓としては、例えば特許文献１に挙げるようなものがある。
【特許文献１】特開２００５−３２０７３９号公報
【発明の開示】
【発明が解決しようとする課題】
【０００３】
従来の、枠体が補助枠を介して建物開口部に固定されるサッシ窓は、枠体を構成する上下枠と左右の縦枠の各枠材に対応して、補助枠が設けられており、各々が固定される構造を有していた。このため部品点数が多く、固定構造が複雑となって高コスト化を招いていた。
【０００４】
本発明は、前記課題を解決すべくなされたものであり、枠体が補助枠を介して建物開口部の室内側寄りに固定される構造を簡易化して低コスト化を図ったサッシ窓を提供することを目的とする。
【課題を解決するための手段】
【０００５】
前記課題を解決するため、本発明に係るサッシ窓は、建物開口部内に設けられ、上下枠及び左右の縦枠を方形状に枠組みした枠体内に障子を納めてなるサッシ窓において、
前記上枠は、該上枠の室外端部より室外側に突出する突出部を有する補助上枠を介して建物開口部の室内側寄りに固定され、前記下枠は、該下枠の室外端部より室外側に突出する突出部を有する補助下枠を介して建物開口部の室内側寄りに固定され、前記補助下枠は前記下枠の下面の略全面と対向する対向面部を有し、該対向面部は室内外方向中間部が最も低く、該中間部より室外側及び室内側に向かってそれぞれ上り傾斜状の傾斜面が形成され、前記縦枠は、前記上枠及び下枠と連結されて建物開口部の室内側寄りに配置され、前記縦枠の外周面が建物開口部の内周面に直接対峙すると共に、補助枠が設けられることなく外周面の室外端部において前記建物開口部の内周面との間に防水シールが設けられることを特徴として構成されている。
【０００８】
さらにまた、本発明に係るサッシ窓は、前記補助下枠は長手方向端面位置が前記縦枠の外周面と略同位置あるいは前記外周面よりも外側位置であることを特徴として構成されている。
【０００９】
そして、本発明に係るサッシ窓は、前記補助下枠は断面中空状に形成されると共に、室外面に外部と連通する排水口が形成されることを特徴として構成されている。
【００１０】
また、本発明に係るサッシ窓は、前記補助上枠及び補助下枠の両端面はキャップ材により閉塞され、該キャップ材は前記縦枠の外周面と建物開口部の内周面との間に設けられる防水シールを受けるシール受部を有することを特徴として構成されている。
【発明の効果】
【００１１】
本発明に係るサッシ窓によれば、上枠は、その室外端部より室外側に突出する突出部を有する補助上枠を介して建物開口部の室内側寄りに固定され、下枠は、その室外端部より室外側に突出する突出部を有する補助下枠を介して建物開口部の室内側寄りに固定され、縦枠は、上枠及び下枠と連結されて建物開口部の室内側寄りに配置され、外周面が建物開口部の内周面に直接対峙すると共に、外周面の室外端部において建物開口部の内周面との間に防水シールが設けられることにより、補助枠を建物開口部の上辺と下辺のみに設けて縦辺に設けなくても枠体を固定することができるので、簡易な構造で枠体を建物開口部の室内側寄りに固定することができ、低コストで枠体に奥行き感及び重厚感を持たせることができる。
【００１２】
また、本発明に係るサッシ窓によれば、補助下枠は下枠の下面の略全面と対向する対向面部を有してなることにより、補助下枠により縦枠からの水を確実に受けて外部に排水することができると共に、枠体の荷重を補助下枠で充分に支えることができるので、縦辺の補助枠がなくても枠体を建物開口部に対し確実に固定することができて、補助枠を簡素化することができる。
【００１３】
さらに、本発明に係るサッシ窓によれば、対向面部は室内外方向中間部が最も低く、中間部より室外側及び室内側に向かってそれぞれ上り傾斜状の傾斜面が形成されてなることにより、対向面部に流れ込んだ水を排水しやすいようにすることができる。
【００１４】
さらにまた、本発明に係るサッシ窓によれば、補助下枠は長手方向端面位置が縦枠の外周面と略同位置あるいは外周面よりも外側位置であることにより、縦枠からの水を補助下枠の対向面部で確実に受けるようにすることができる。
【００１５】
そして、本発明に係るサッシ窓によれば、補助下枠は断面中空状に形成されると共に、室外面に外部と連通する排水口が形成されることにより、縦枠からの水を中空部に導いた上で、排水口を介して確実に外部に排水することができる。
【００１６】
また、本発明に係るサッシ窓によれば、補助上枠及び補助下枠の両端面はキャップ材により閉塞され、キャップ材は縦枠の外周面と建物開口部の内周面との間に設けられる防水シールを受けるシール受部を有することにより、補助上枠や補助下枠の防水性を確保することができると共に、縦枠の長手方向に沿って設けられる防水シールを容易に施工することができる。
【発明を実施するための最良の形態】
【００１７】
本発明の実施形態について図面に沿って詳細に説明する。図１には本実施形態におけるサッシ窓の縦断面図を、図２には本実施形態におけるサッシ窓の横断面図を、それぞれ示している。これら各図に示すように、本実施形態のサッシ窓は、建物開口部Ａに取付けられた枠体１内に、框体３内に複層ガラスからなるガラス体４を納めてなる障子２を開閉自在に納めて構成されている。また、建物開口部Ａに対しては上下辺にそれぞれ補助枠６が固定され、枠体１は上下辺がそれぞれ補助枠６に固定されることにより、建物開口部Ａに対して取付けられている。
【００１８】
本実施形態において建物は、外壁がパネル材８によって構成されており、建物開口部Ａはパネル材８が配置されない領域として形成される。したがって、建物開口部Ａの内周面５は、パネル材８の厚み方向の側面によって構成されている。
【００１９】
枠体１は、上枠１０と下枠１１及び左右の縦枠１２、１２を方形状に枠組みして構成されている。枠体１を構成する枠材には、いずれも金属材の室内側に樹脂材を配設した複合材が用いられており、上枠１０は金属上枠１０ａと樹脂上枠１０ｂにより、下枠１１は金属下枠１１ａと樹脂下枠１１ｂにより、縦枠１２は金属縦枠１２ａと樹脂縦枠１２ｂにより、それぞれ構成されている。また、下枠１１の室内側面には、障子２と連係する開閉装置９が設けられており、開閉装置９を操作することで、障子２を開閉することができるようにされている。
【００２０】
障子２を構成する框体３は、上框２０と下框２１及び左右の縦框２２、２２を方形状に框組みして構成されている。框体３を構成する各框材には、内周面にガラス収納溝２３が形成されており、このガラス収納溝２３にガラス体４の縁部が納められると共に、グレチャン２４を介して固定される。
【００２１】
枠体１の室内側には額縁材７が設けられる。枠体１の室内端部には、四周に渡ってアングル部１３が形成されており、アングル部１３は額縁材７の内周面に当接しネジ止め固定されている。図１に示すように、枠体１を構成する上枠１０及び下枠１１は、框体３よりも室内側の内周面が、アングル部１３よりも見付方向内側となるように段差状に形成され、框体３を構成する上框２０及び下框２１の内周側端部と略同じ見付方向位置となるように形成されている。
【００２２】
また、図２に示すように、枠体１を構成する縦枠１２は、框体３よりも室内側の内周面が、アングル部１３と面一状となるように形成されると共に、框体３を構成する縦框２２の内周側端部と略同じ見付方向位置となるように形成されている。すなわち、縦枠１２及び縦框２２においては、額縁材７の内周面と縦枠１２の内周面及び縦框２２の内周側端部とが略面一状に配置される。このように、本実施形態の窓は枠体１の内周面が框体３の内周側端部と略同じ見付方向位置となるようにされているので、框体３が室内側から直接見えないようにして意匠性の向上を図っている。
【００２３】
次に、補助枠６について説明する。図１に示すように、補助枠６は建物開口部Ａの上辺に設けられる補助上枠３０と、建物開口部Ａの下辺に設けられる補助下枠３５とからなっている。補助上枠３０は、枠体１を構成する上枠１０の室外側に配置され、上枠１０の室外端部よりも室外側に突出する突出部３１を有している。突出部３１は、室外側面３２がパネル材８の室外側面と面一状となるように配置され、内周面側には室外側から室内側に向かう下り傾斜状に形成された傾斜面部３３が設けられている。
【００２４】
補助上枠３０の突出部３１の外周面側には、フィン状に固定片３４が形成されており、パネル材８と固定された上固定フレーム４０に対してネジ止め固定される。上固定フレーム４０は、パネル材８の下面及び室内側面に略沿うように形成されており、パネル材８に対して固定されると共に、中間部で上枠１０もネジ止め固定する。
【００２５】
枠体１を構成する上枠１０は、室外側面において補助上枠３０とネジ止め固定されると共に、外周面１４において上固定フレーム４０とネジ止め固定されている。このように、上枠１０は突出部３１を有した補助上枠３０の室内側に配置固定されることで、建物開口部Ａにおいて室内側寄りに配置されることとなる。
【００２６】
補助下枠３５は、枠体１を構成する下枠１１の下部に配置され、下枠１１の室外端部よりも室外側に突出する突出部３６を有している。突出部３６はパネル材８の室外側面と略面一状となる室外側面３６ａを有すると共に、室外側面３６ａよりも室外側に突出する水切り部３８を有している。すなわち、水切り部３８はパネル材８の室外側面よりも室外側に突出して配置される。
【００２７】
また、補助下枠３５は、上面に下枠１１の下面の略全領域と対向する対向面部３７を有している。対向面部３７は、室内外方向中間部に水平状の水平面部３７ａを有し、水平面部３７ａより室外側には、水平面部３７ａ側に向かって下り傾斜状の室外傾斜面部３７ｂを有し、水平面部３７ａより室内側には、水平面部３７ａ側に向かって下り傾斜状の室内傾斜面部３７ｃを有している。縦枠１２と建物開口部Ａの内周面５との間に設けられた防水シール４３が万が一切れて、水が浸入し縦枠１２を伝って流下した場合の水を、補助下枠３５の対向面部３７で受けることができる。対向面部３７の水平面部３７ａには、貫通孔（図示しない）が形成され、補助下枠３５の突出部３６を構成する中空部分に水が導かれると共に、突出部３６の室外側面３６ａに形成される排水口３９から外部に排水される。
【００２８】
図３には、枠体１と障子２及び補助枠６を組み立てた状態の正面図を示している。この図に示すように、補助下枠３５は、左右の縦枠１２、１２の外周面１４よりも外側位置に端部が配置されるように形成されている。すなわち、補助下枠３５は枠体１の左右方向幅よりも若干長めに形成されている。これによって、縦枠１２を伝って流下した水を補助下枠３５の対向面部３７で確実に受けることができる。なお、補助下枠３５は少なくとも左右の縦枠１２、１２の外周面１４と略同位置であればよい。
【００２９】
図１に示すように、補助下枠３５は下面においてパネル材８と固定された下固定フレーム４１に対してネジ止め固定される。下固定フレーム４１は、パネル材８の上面及び室内側面に略沿うように形成されており、パネル材８に対して固定されている。このように補助下枠３５は、下固定フレーム４１を介して建物開口部Ａに固定されている。また、下枠１１は補助下枠３５の室内側寄りにネジ止め固定されており、したがって建物開口部Ａにおいて室内側寄りに配置されることとなる。
【００３０】
補助上枠３０と補助下枠３５は、いずれも外周面が建物開口部Ａの内周面５と対峙しており、上固定フレーム４０や下固定フレーム４１とのネジ止め部分より室外側には、内周面５との間に防水シール４３が設けられる。枠体１を構成する上枠１０は、外周面１４のうち室外側寄りの一部が建物開口部Ａの内周面５と対峙しており、前述のように上固定フレーム４０に対して直接ネジ止めされる。一方で、枠体１を構成する下枠１１は、外周面１４は補助下枠３５に対向していて、建物開口部Ａの内周面５とは直接対峙しない。
【００３１】
図２に示すように、枠体１を構成する縦枠１２は、外周面１４のうち室外側寄りの一部が建物開口部Ａの内周面５と直接対峙している。また、外周面１４の室外端部において対向する内周面５との間に防水シール４３が設けられる。このように、建物開口部Ａの縦辺には補助枠６は設けられておらず、縦枠１２は建物開口部Ａに対しては直接固定されていない一方で、防水シール４３により建物開口部Ａとの間の防水性は確保されている。
【００３２】
このように、建物開口部Ａの上辺と下辺のみに補助枠６を設け、枠体１は上枠１０と下枠１１をそれぞれ補助枠６を介して建物開口部Ａの室内側寄りに固定するようにしたので、簡易な構造で枠体１を建物開口部Ａの室内側寄りに固定することができ、低コストで枠体１に奥行き感及び重厚感を持たせることができる。また、補助下枠３５は下枠１１の下面全域と対向する形状に形成されていることにより、縦枠１２を伝って流下した水を確実に受けて外部に排水することができると共に、枠体１の荷重を充分に支えることができるので、縦辺の補助枠がなくても枠体１を建物開口部Ａに対し確実に固定することができて、補助枠６を簡素化することができる。
【００３３】
また、補助枠６の左右両端部にはキャップ材が設けられて、端面が閉塞されるようになっている。図４には、枠体１の上角部付近の斜視図を示している。この図に示すように、補助上枠３０の端面には、上キャップ材５０が設けられている。上キャップ材５０は、補助上枠３０の断面形状より一回り小さい形状に形成された閉塞面部５１を有し、閉塞面部５１の周囲には軟質材からなる止水材５２が設けられている。閉塞面部５１は補助上枠３０の端面から内部に挿入され、それに伴って止水材５２は補助上枠３０の内面に圧接して、上キャップ材５０と補助上枠３０との間に防水性を持たせている。
【００３４】
また、上キャップ材５０には、閉塞面部５１と略直交する面を有するシール受部５３が設けられる。シール受部５３は、室内側に水平な面を有すると共に、室外側が屈曲して室外側に向かう上り傾斜状の傾斜面部５３ａを構成している。傾斜面部５３ａは、補助上枠３０の傾斜面部３３と略平行となるように形成されている。また、傾斜面部５３ａには、閉塞面部５１に当接する固定部５３ｂが形成されており、固定部５３ｂから閉塞面部５１にネジが挿通されることにより、シール受部５３が上キャップ材５０に固定されている。
【００３５】
枠体１を構成する縦枠１２の外周面１４には、図２にも示すように防水シール４３が設けられる。図４において防水シール４３は破線で表されている。この図に示すように、防水シール４３は縦枠１２の外周面１４の上下方向に沿って配設され、上端部ではシール受部５３に沿うように配設される。上キャップ材５０にシール受部５３が設けられることにより、上下方向に沿って配設される防水シール４３を受ける部分を作ることができるので、防水シール４３の施工を容易にすることができる。また、シール受部５３に傾斜面部５３ａが形成されていることにより、防水シール４３を補助上枠３０の外形状に沿って容易に配設することができる。
【００３６】
図５には、枠体１の下角部付近の斜視図を示している。この図に示すように、補助下枠３５の端面には、下キャップ材５５が設けられている。下キャップ材５５は、補助下枠３５の端面を覆う閉塞面部５６を有している。閉塞面部５６は断面略コ字状に形成されており、上面の外側端部には、上方に向かって突出する垂直面部５７が形成されている。また、閉塞面部５６の室外側の端面にはこれを塞ぐ端面塞ぎ材５９が設けられている。端面塞ぎ材５９は、閉塞面部５６の断面形状に略適合する形状に形成されると共に、周囲部には止水材５９ａが設けられる。
【００３７】
また、下キャップ材５５の上面には、略Ｌ字状に形成されたシール受部５８が取付けられている。シール受部５８は、下キャップ材５５にネジ止め固定される面と直交する面が室外側に面するように配置され、当該面によって防水シール４３を受けることができる。図５には、図４と同様に縦枠１２の外周面１４に配設される防水シール４３が破線で表されている。この図に示すように、防水シール４３は縦枠１２の外周面１４の上下方向に沿って配設され、下端部において補助下枠３５の端面側に延びて下キャップ材５５の上面に達する。
【００３８】
下キャップ材５５の上面において防水シール４３は、垂直面部５７とシール受部５８によって堰き止められる。これによって、防水シール４３を縦枠１２に配設する際において、縦枠１２の下端部で防水シール４３を受ける部分を作ることができるので、防水シール４３の施工を容易にすることができる。さらに防水シール４３は、下キャップ材５５の上面において室外側に延びると共に、端面塞ぎ材５９の室外側面部の上下方向に沿って配設される。
【００３９】
以上、本発明の実施形態について説明したが、本発明の適用はこれら実施形態には限られず、その技術的思想の範囲内において様々に適用されうるものである。例えば、本実施形態のサッシ窓は、縦辷り出し窓として構成したが、窓の種類にかかわらず、枠体１を建物開口部Ａ内に設けるサッシ窓に本発明を適用することができる。また、本実施形態では建物開口部Ａがパネル材８によって形成されているが、通常の建物躯体によって開口部が形成されるものであってもよい。
【図面の簡単な説明】
【００４０】
【図１】本実施形態におけるサッシ窓の縦断面図である。
【図２】本実施形態におけるサッシ窓の横断面図である。
【図３】枠体と障子及び補助枠を組み立てた状態の正面図である。
【図４】枠体の上角部付近の斜視図である。
【図５】枠体の下角部付近の斜視図である。
【符号の説明】
【００４１】
１    枠体
２    障子
３    框体
４    ガラス体
５    内周面
６    補助枠
７    額縁材
８    パネル材
９    開閉装置
１０    上枠
１１    下枠
１２    縦枠
３０    補助上枠
３１    突出部
３２    室外側面
３３    傾斜面部
３５    補助下枠
３６    突出部
３７    対向面部
３８    水切り部
３９    排水口
４０    上固定フレーム
４１    下固定フレーム
４３    防水シール
５０    上キャップ材
５１    閉塞面部
５２    止水材
５３    シール受部
５５    下キャップ材
５６    閉塞面部
５７    垂直面部
５８    シール受部
５９    端面塞ぎ材
【図１】
0005306704.tif 000002
【図２】
0005306704.tif 000003
【図３】
0005306704.tif 000004
【図４】
0005306704.tif 000005
【図５】
0005306704.tif 000006